(57)【特許請求の範囲】
【請求項１】
パラジウム基板の表面上に、ＣａＯ層とパラジウム層とが交互に積層され、核種変換を施される物質が添加され、核種変換反応が行われる構造体と、
前記構造体を両側から挟み込むようにして配置され、前記構造体により密封可能な閉空間をなす重水素高圧部及び重水素低圧部と、
前記重水素高圧部に重水を供給する重水供給部と、前記構造体に重水内で対向して配置される電極と、前記構造体間に電圧を印加する電圧発生装置と、前記重水素高圧部からガスを排出するガス排出経路とを備え、前記重水供給部から前記構造体に供給した重水を電気分解して、前記重水素高圧部を相対的に重水素の圧力が高い状態とする高圧化手段と、
前記重水素低圧部を、相対的に重水素の圧力が低い状態とする低圧化手段と、
前記ガス排出経路に接続され、前記重水素高圧部に供給した重水を電気分解した際に生じた気体から、酸化触媒を用いて重水を製造する水製部と、
前記水製部で製造された重水を酸素ガスと分離する酸素分離部と、
前記酸素分離部にて酸素ガスが分離された前記重水を前記重水供給部に導く重水導入路と、
を備えた核種変換装置。
【請求項２】
前記構造体を透過して重水素低圧部から排出された重水素を回収し、該回収した重水素を前記水製部に送る重水素回収部と、
前記水製部に送る重水素の濃度を検出する検出部と、
前記水製部に送る重水素に酸素を添加する酸素添加部と、
前記検出部にて検出した重水素の濃度に基づき、前記酸素添加部から添加する酸素量を制御する制御部と、
を備える請求項１に記載の核種変換装置。
【請求項３】
前記低圧化手段が、前記重水素低圧部に不活性ガスを供給する不活性ガス供給装置を備える請求項１または請求項２に記載の核種変換装置。
【請求項４】
前記重水素回収部が、前記構造体を透過した気体から重水素を分離する重水素分離部を備える請求項３に記載の核種変換装置。
【請求項５】
前記低圧化手段が、前記重水素低圧部を真空状態にする排気装置を備える請求項１または請求項２に記載の核種変換装置。
【請求項６】
前記重水素回収部が、
重水素を溜めるバッファ部と、
重水素低圧部から排出された重水素を圧縮し、前記バッファ部に導く圧縮部と、
を備える請求項５に記載の核種変換装置。
【請求項７】
パラジウム基板の表面上に、ＣａＯ層とパラジウム層とが交互に積層され、核種変換を施される物質が添加され、核種変換反応が行われる構造体と、前記構造体を両側から挟み込むようにして配置され、前記構造体により密封可能な閉空間をなす重水素高圧部及び重水素低圧部と、を備えた核種変換装置における核種変換方法であって、
重水供給部から前記重水素高圧部に重水を供給し、前記構造体に重水内で対向して配置される電極と前記構造体間に電圧発生装置から電圧を印加し、該供給した重水を電気分解して、前記重水素高圧部を相対的に重水素の圧力が高い状態とする高圧化工程と、
前記重水素低圧部を、相対的に重水素の圧力が低い状態とする低圧化工程と、
前記重水素高圧部で電気分解した際に生じた気体を、ガス排出経路を介して水製部に導き、該水製部にて、前記重水素高圧部に供給した重水を電気分解した際に生じた気体から、酸化触媒を用いて重水を製造する水製工程と、
前記水製工程で製造された重水を酸素ガスと分離する酸素分離工程と、
前記酸素分離工程にて酸素ガスが分離された前記重水を前記重水供給部に導く重水導入工程と、
を備えた核種変換方法。
【請求項８】
前記構造体を透過して重水素低圧部から排出された重水素を回収し、該回収した重水素を前記水製部に送る重水素回収工程と、
前記水製部に送る重水素の濃度を検出する検出工程と、
前記水製部に送る重水素に酸素を添加する酸素添加工程と、
を備え、
前記酸素添加工程にて添加する酸素量を、前記検出工程にて検出した重水素の濃度に基づき制御部で制御する請求項７に記載の核種変換方法。
【請求項９】
前記低圧化工程が、前記重水素低圧部に不活性ガスを供給する不活性ガス供給ステップを備える請求項７または請求項８に記載の核種変換方法。
【請求項１０】
前記重水素回収工程が、前記構造体を透過した気体から重水素を分離する重水素分離工程を備える請求項９に記載の核種変換方法。
【請求項１１】
前記低圧化工程が、前記重水素低圧部を真空状態にする排気ステップを備える請求項７または請求項８に記載の核種変換方法。
【請求項１２】
前記重水素回収工程が、
重水素を溜めるバッファステップと、
重水素低圧部から排出された重水素を圧縮し、前記バッファ部に導く圧縮ステップと、
を備える請求項１１に記載の核種変換方法。
【発明の詳細な説明】
【技術分野】
【０００１】
本発明は、放射性廃棄物処理技術、自然界に豊富に存在する元素から稀少な元素を生成する技術、凝集系核反応によるエネルギー発生技術などに係る核種変換装置及び核種変換方法に関するものである。
【背景技術】
【０００２】
加速器や原子炉等の大規模な装置に比べて、相対的に小規模な装置で核種変換を行うことが可能な核種変換装置及び核種変換方法が、特許文献１に開示されている。
【０００３】
特許文献１に開示される核種変換装置は、パラジウム（Ｐｄ）やパラジウム合金などの水素吸蔵金属または水素吸蔵合金、及び、これらに対して相対的に仕事関数が低い物質（酸化カルシウム：ＣａＯ）を積層させた構造体と、内部が気密保持可能とされた吸蔵室と、構造体を介して気密保持可能に設けられた放出室と、吸蔵室に重水素ガスを供給する重水素供給手段と、放出室を真空状態にする排気手段とを備える。
【０００４】
特許文献１に開示される核種変換装置では、変換したい核種（核種変換を施される物質）を蒸着等の手法を用いて構造体の一方の表面に添加し、核種変換を施される物質を添加した面から重水素（Ｄ２）ガスを透過させて核反応を誘発し、核種変換を施される物質を別の核種に変換する。
【０００５】
上記構成の核種変換装置では、ＣａＯなどのナノスケールの薄膜をＰｄなどと組み合わせ、単層または複数層蒸着した構造体の表面に核種変換を施される物質を添加することで、安定的な核反応の進行、変換量の増大を促進することができる。
【先行技術文献】
【特許文献】
【０００６】
【特許文献１】特許第４３４６８３８号公報（段落［０００９］〜［００１４］）
【発明の概要】
【発明が解決しようとする課題】
【０００７】
特許文献１に記載の方法において、核種変換する際の核種変換量は数〜数十ｎｇ／ｃｍ２レベルであり、実用化を進めていくためには、核種変換量の更なる増大が必要である。
【０００８】
核種変換量を増大させる手法として、図８のような核種変換装置が開発されている。核種変換装置５００は、構造体１、重水素高圧部２、重水素低圧部３、高圧化手段４、及び低圧化手段５を備えている。高圧化手段４は、電圧発生装置１２、正極１３、電解溶液供給装置１４、及びガス排出経路１５から構成されている。高圧化手段４は、電解溶液供給装置１４から電解溶液を重水素高圧部２に供給し、該供給した電解溶液を電気分解することで、重水素高圧部２の重水素圧力を増大させることができる。低圧化手段５は、真空ポンプなどとされ、重水素低圧部３の重水素圧力を重水素高圧部２よりも低くすることができる。核種変換装置５００によれば、電解溶液を電気分解することにより、重水素の透過圧力が大幅に増大し、構造体１中への重水素の充填量を増大させることができるため、核種変換量を大幅に増大させることが可能となる。
【０００９】
しかしながら、核種変換装置５００では、重水素高圧部２にて電解溶液を電気分解した際に発生する重水素のうち、核種変換反応に寄与する重水素は一部であり、大部分の重水素は外部に排気される。重水素は高価であるため、核種変換装置５００は、ランニングコストが大きくなるという問題がある。
【００１０】
本発明は、このような事情に鑑みてなされたものであって、核種変換が施される物質が添加された構造体に、電気分解を利用して重水素を透過させ、核種変換を行う核種変換装置において、核種変換反応に寄与しなかった重水素を再利用できる核種変換装置及び核種変換方法を提供することを目的とする。
【課題を解決するための手段】
【００１１】
上記課題を解決するために、本発明は以下の手段を採用する。
本発明は、パラジウム基板の表面上に、ＣａＯ層とパラジウム層とが交互に積層され、核種変換を施される物質が添加され、核種変換反応が行われる構造体と、前記構造体を両側から挟み込むようにして配置され、前記構造体により密封可能な閉空間をなす重水素高圧部及び重水素低圧部と、前記重水素高圧部に重水を供給する重水供給部と、前記構造体に重水内で対向して配置される電極と、前記構造体間に電圧を印加する電圧発生装置と、前記重水素高圧部からガスを排出するガス排出経路とを備え、前記重水供給部から前記構造体に供給した重水を電気分解して、前記重水素高圧部を相対的に重水素の圧力が高い状態とする高圧化手段と、前記重水素低圧部を、相対的に重水素の圧力が低い状態とする低圧化手段と、前記ガス排出経路に接続され、前記重水素高圧部に供給した重水を電気分解した際に生じた気体から、酸化触媒を用いて重水を製造する水製部と、前記水製部で製造された重水を酸素ガスと分離する酸素分離部と、前記酸素分離部にて酸素ガスが分離された前記重水を前記重水供給部に導く重水導入路と、を備えた核種変換装置を提供する。
【００１２】
上記構成の核種変換装置によれば、核種変換を施される物質が添加された状態で、構造体の重水素高圧部側と重水素低圧部側との間に重水素の圧力差を設けることで、構造体の内部で重水素高圧部側から重水素低圧部側へと向かう重水素の流束を形成できる。それにより、重水素と核種変換が施される物質とに対して核種変換反応を発生させることができる。
【００１３】
高圧化手段は、重水を電気分解することにより、重水素高圧部を、重水素低圧部よりも相対的に重水素の圧力が高い状態とする。これによりガス圧を用いた場合と比較して、構造体への重水素の充填密度を高くし、核種変換反応量を増大させることができる。
水製部は、酸化触媒を用いて、重水を電気分解した際に生じる気体から重水を合成することができる。酸素分離部では、重水の合成に寄与しなかった酸素ガスを重水から分離することができる。酸素分離部から排出された重水は、重水供給部へと戻され、高圧化手段として再利用することができる。
これにより、従来排気していた重水素の大部分をリサイクルできるようになるため、核種変換試験に要するコストを低減できる。
【００１４】
上記発明の一態様において、核種変換装置は、前記構造体を透過して重水素低圧部から排出された重水素を回収し、該回収した重水素を前記水製部に送る重水素回収部と、前記水製部に送る重水素の濃度を検出する検出部と、前記水製部に送る重水素に酸素を添加する酸素添加部と、前記検出部にて検出した重水素の濃度に基づき、前記酸素添加部から添加する酸素量を制御する制御部と、を備えることが好ましい。
【００１５】
上記発明の一態様によれば、重水素回収部を設けることにより、構造体を透過した重水素を回収できるため、重水素高圧部に供給した重水に含まれる重水素のほとんどすべてをリサイクルできる。これにより、さらに核種変換試験に要するコストを低減できる。
【００１６】
水製部に送る重水素は、事前に重水素濃度が測定され、該重水素濃度に基づき適量の重水素が添加される。これにより、水製部に送られた後に酸化触媒を用いた重水の合成が可能となる。酸素添加部により添加する酸素量は、制御部により制御されるため、酸素を過剰に添加することなく、重水を合成するために必要な量の酸素を添加することが可能である。
【００１７】
上記発明の一態様において、前記低圧化手段は、前記重水素低圧部に不活性ガスを供給する不活性ガス供給装置を備えていても良い。
【００１８】
上記発明の一態様によれば、低圧化手段として不活性ガス供給装置を用いることで、重水素低圧部の重水素分圧を実質的に０とすることができる。これにより、重水素低圧部を重水素高圧部に対して相対的に重水素圧力の低い状態とし、構造体に重水素の圧力差を形成することができる。
また、低圧化手段が不活性ガス供給装置を備える場合には、真空ポンプなどの高性能な排気装置が不要となるため、核種変換装置の大型化や初期コストの低減が容易となる。
【００１９】
上記発明の一態様において、前記重水素回収部は、前記構造体を透過した気体から重水素を分離する重水素分離部を備えることが好ましい。
【００２０】
低圧化手段に不活性ガス供給装置を用いた場合、重水素低圧部から排出される気体は不活性ガスと重水素との混合気体となる。上記発明の一態様によれば、重水素分離部を設けることで、混合気体から重水素を分離し、水製部へと送ることができる。
【００２１】
上記発明の一態様において、前記低圧化手段は、前記重水素低圧部を真空状態にする排気装置を備えていても良い。
【００２２】
上記発明の一態様によれば、低圧化手段として排気装置を用いることで、重水素低圧部を真空とすることができる。それにより、重水素低圧部を重水素高圧部に対して相対的に重水素圧力の低い状態とし、構造体に重水素の圧力差を形成することができる。
【００２３】
上記発明の一態様において、前記重水素回収部は、重水素を溜めるバッファ部と、重水素低圧部から排出された重水素を圧縮し、前記バッファ部に導く圧縮部と、を備えることが好ましい。
【００２４】
低圧化手段に排気装置を用いた場合、重水素低圧部は真空状態であり、且つ、重水素低圧部から排出される気体は実質的に重水素のみである。上記発明の一態様によれば、圧縮部及びバッファ部を設けることで、重水素を所定圧力に戻した後に水製部へと送ることができる。
【００２５】
また、本発明は、パラジウム基板の表面上に、ＣａＯ層とパラジウム層とが交互に積層され、核種変換を施される物質が添加され、核種変換反応が行われる構造体と、前記構造体を両側から挟み込むようにして配置され、前記構造体により密封可能な閉空間をなす重水素高圧部及び重水素低圧部と、を備えた核種変換装置における核種変換方法であって、重水供給部から前記重水素高圧部に重水を供給する重水供給し、前記構造体に重水内で対向して配置される電極と前記構造体間に電圧発生装置から電圧を印加し、該供給した重水を電気分解して、前記重水素高圧部を相対的に重水素の圧力が高い状態とする高圧化工程と、前記重水素低圧部を、相対的に重水素の圧力が低い状態とする低圧化工程と、前記重水素高圧部で電気分解した際に生じた気体をガス排出経路を介して水製部に導き、該水製部にて、前記重水素高圧部に供給した重水を電気分解した際に生じた気体から、酸化触媒を用いて重水を製造する水製工程と、前記水製工程で製造された重水を酸素ガスと分離する酸素分離工程と、前記酸素分離工程にて酸素ガスが分離された前記重水を前記重水供給部に導く重水導入工程と、を備えた核種変換方法を提供する。
【００２６】
上記発明によれば、核種変換を施される物質が添加された構造体の重水素高圧部側と重水素低圧部側との間に重水素の圧力差を設けることで、構造体の内部で重水素高圧部側から重水素低圧部側へと向かう重水素の流束を形成できる。それにより、重水素と核種変換が施される物質とに対して核種変換反応を発生させることができる。
【００２７】
高圧化工程にて、重水を電気分解して重水素を発生させることで、従来の重水素ガスを用いた場合と比較して、構造体への重水素の充填密度を高くし、核種変換反応量を増大させることができる。
【００２８】
水製工程で重水を電気分解した際に生じる気体から重水を合成し、酸素分離工程では、重水の合成に寄与しなかった酸素ガスを重水から分離する。これにより、酸素分離工程で酸素ガスが分離された重水を重水供給部へ戻し、再び高圧化工程で使用することが可能となる。
【００２９】
上記発明によれば、従来排気していた重水素の大部分をリサイクルできるようになるため、核種変換試験に要するコストを低減できる。
【００３０】
上記発明の一態様において、核種変換方法は、前記構造体を透過して重水素低圧部から排出された重水素を回収し、該回収した重水素を前記水製部に送る重水素回収工程と、前記水製部に送る重水素の濃度を検出する検出工程と、前記水製部に送る重水素に酸素を添加する酸素添加工程と、を備え、前記酸素添加工程にて添加する酸素量を、前記検出工程にて検出した重水素の濃度に基づき制御部で制御することが好ましい。
【００３１】
上記発明の一態様によれば、重水素回収工程を備えることで、重水素高圧部に供給した重水に含まれる重水素のほとんどすべてをリサイクルできるようになる。これにより、さらに核種変換試験に要するコストを低減できる。
【００３２】
水製部に送る重水素は、事前に重水素濃度が測定され、該重水素濃度に基づき適量の重水素が添加される。これにより、水製部に送られた後に酸化触媒を用いた重水の合成が可能となる。酸素添加工程により添加する酸素量は、制御部により制御されるため、酸素を過剰に添加することなく、重水を合成するために必要な量の酸素を添加することが可能となる。
【００３３】
上記発明の一態様において、前記低圧化工程は、前記重水素低圧部に不活性ガスを供給する不活性ガス供給ステップを備えていても良い。
【００３４】
上記発明の一態様によれば、不活性ガス供給ステップを備えることで、重水素低圧部を不活性ガスで満たし、重水素分圧を実質的に０とすることができる。これにより、重水素低圧部を重水素高圧部に対して相対的に重水素圧力の低い状態とし、構造体に重水素の圧力差を形成することができる。
また、真空ポンプなどの高性能な排気装置が不要となるため、核種変換装置の大型化や初期コストの低減が容易となる。
【００３５】
上記発明の一態様において、前記重水素回収工程は、前記構造体を透過した気体から重水素を分離する重水素分離工程を備えることが好ましい。
【００３６】
不活性ガス供給ステップを実施すると、重水素低圧部から排出される気体は不活性ガスと重水素との混合気体となる。上記発明の一態様によれば、重水素分離工程を設けることで、混合気体から重水素を分離し、水製部へと送ることができるようになる。
【００３７】
上記発明の一態様において、前記低圧化工程は、前記重水素低圧部を真空状態にする排気ステップを備えていても良い。
【００３８】
上記発明の一態様によれば、排気ステップにより、重水素低圧部を真空とすることができる。それによって、重水素低圧部を重水素高圧部に対して相対的に重水素圧力の低い状態とし、構造体に重水素の圧力差を形成することができる。
【００３９】
上記発明の一態様において、前記重水素回収工程は、重水素を溜めるバッファステップと、重水素低圧部から排出された重水素を圧縮し、前記バッファ部に導く圧縮ステップと、を備えることが好ましい。
【００４０】
排気ステップを実施した場合、重水素低圧部は真空状態であり、且つ、重水素低圧部から排出される気体は実質的に重水素のみとなる。上記発明の一態様によれば、圧縮ステップ及びバッファステップを設けることで、重水素を所定圧力に戻した後に水製部へと送ることができる。
【発明の効果】
【００４１】
本発明によれば、重水を電気分解して重水素高圧部の重水素圧力を高めることで、核種変換量を大幅に増大でき、且つ、核廃棄物等の無害化処理、あるいは、現在は不可能とされている廃棄物処理が可能となる。また、本発明によれば、水製部及び酸素分離部を設けることで従来排気していた重水素の大部分をリサイクルできるようになるため、核種変換試験に要するコストを低減できる。
【図面の簡単な説明】
【００４２】
【図１】第１実施形態に係る核種変換装置の概略図である。
【図２】構造体の断面図である。
【図３】水製部及び酸素分離部の上面図である。
【図４】水製部及び酸素分離部の側断面図である。
【図５】第２実施形態に係る核種変換装置の概略図である。
【図６】第３実施形態に係る核種変換装置の概略図である。
【図７】第４実施形態に係る核種変換装置の概略図である。
【図８】従来の核種変換装置の概略図である。
【発明を実施するための形態】
【００４３】
以下に、本発明に係る核種変換方法及び核種変換装置の一実施形態について、図面を参照して説明する。
〔第１実施形態〕
図１は、本実施形態に係る核種変換装置の概略図である。核種変換装置１００は、構造体１、重水素高圧部２、重水素低圧部３、高圧化手段４、低圧化手段５、水製部６、酸素分離部７、及び重水導入路８を備えている。
【００４４】
構造体１は、パラジウム（Ｐｄ）またはパラジウム合金、あるいは、パラジウム以外の水素吸蔵金属またはパラジウム合金以外の水素吸蔵合金と、これらに対して相対的に仕事関数が低い物質とを有する。相対的に仕事関数が低い物質とは、例えば、仕事関数が３ｅＶ未満の物質であり、具体的には、ＣａＯなどとされる。核種変換装置１００において、構造体１は負極の役割も果たす。
【００４５】
図２に、構造体１の一例を示す。図２に示す構造体１は、バルクのＰｄ基板９（例えば、２５ｍｍ×２５ｍｍ×０．１ｍｍ）上に、ＣａＯ層１０（厚さ：２ｎｍ）とＰｄ層１１（厚さ：２０ｎｍ）とが交互に１０層積層された構成とされる。ＣａＯ層１０及びＰｄ層１１は、アルゴンイオンビームスパッタ法によって、エッチング処理後のＰｄ基板９上に、交互に製膜される。
【００４６】
構造体１を挟んで、構造体１の一方の面側には重水素高圧部２、他方の面側（Ｐｄ基板９側）には重水素低圧部３が内部を気密保持可能に形成されている。
重水素高圧部２は、高圧化手段４を備え、重水素低圧部３よりも重水素の圧力が高い状態に維持される。
【００４７】
高圧化手段４は、電圧発生装置１２、一方の電極である正極１３、重水供給装置１４、及びガス排出経路１５から構成されている。正極１３は、白金などとされる。正極１３は、重水素高圧部２内に、構造体１の重水素高圧部２側の面と間隔をあけて対向配置されている。電圧発生装置１２は、重水素高圧部２の外に位置し、正極１３と負極であり他方の電極となる構造体１との間に電圧差を与え得る。
【００４８】
重水供給装置１４は、重水タンク（重水供給部）１６、重水供給経路１７、除湿部１８、及びガス源（図示せず）を備えている。重水タンク１６は、電解溶液としての重水１９が収容される容器である。重水タンク１６は、重水供給経路１７を介して重水素高圧部２に接続されている。重水供給経路１７の一端は、重水タンク１６内に収容された重水１９に浸漬するよう配置される。重水供給経路１７の他端は、重水素高圧部２に重水１９を供給可能に接続されている。重水供給経路１７にはバルブ２０が設けられている。
【００４９】
また、重水タンク１６にはガス供給経路２１を介して除湿部１８及びガス源が順に接続されている。ガス供給経路２１には、バルブ２２が設けられている。ガス供給経路２１の一端は重水タンク１６内で、重水１９に接触しない位置に配置されている。
除湿部１８は、シリカゲル等による除湿機能付フィルターなどとされる。ガス源は、不活性ガスが充填されたボンベ、例えば、窒素（Ｎ２）ボンベ、アルゴン（Ａｒ）ボンベ、及びＣＥ（Ｃｏｌｄ  Ｅｖａｐｏｒａｔｏｒ）などとされる。
【００５０】
重水供給装置１４において、ガス源からのＣＥ（Ｃｏｌｄ  Ｅｖａｐｏｒａｔｏｒ）＿Ｎ２は除湿部１８で除湿された後、重水タンク１６に流れ込むことができる。重水タンク１６内にガスを供給することで、重水１９が押し出され、重水供給経路１７を介して重水素高圧部２へと供給され得る。
【００５１】
ガス排出経路１５は、重水素高圧部２内のガスを外部に排出できるよう逆止弁２３（＜１気圧）を介して重水素高圧部２に接続されている。
【００５２】
重水素低圧部３は、低圧化手段５を備えている。低圧化手段５は、ターボ分子ポンプ及びドライポンプなどの排気装置とされ、真空引きすることで重水素低圧部３内を重水素高圧部２よりも重水素圧力が低い状態に維持する。
【００５３】
図３に、水製部６及び酸素分離部７の上面図を例示する。図４に、水製部６及び酸素分離部７の側断面図を例示する。
水製部６は、逆止弁２４を介してガス排出経路１５と接続されており、重水素高圧部２内で重水１９の電気分解により生じた重水素ガス及び酸素ガス、および、微量の無反応物質としての窒素ガスが導入されうる。水製部６は、酸化触媒２５を備えており、重水素ガスを酸素ガスと反応させて重水を製造することができる。酸化触媒としては、セオライト等のセラミック基材に担持された白金（Ｐｔ）、ルテニュウム（Ｒｕ）又はパラジウム（Ｐｄ）などを使用することができる。また、水製部６の出口にはフィルター２６が設けられており、酸化触媒（特に基材）からのコンタミを防止することができる。フィルター２６は、例えば、テフロン製フィルター、ポリエステル系ウレタンフォームフィルターなどとされる。
【００５４】
酸素分離部７は、水製部６で製造された重水を、酸素ガスと微量の窒素ガスと分離することができる。酸素や微量の窒素を分離する手段として、酸素分離部７の上部を開放して気体を外部へと放出させる、または、ポリスチレンフィルムやゴアテックスなどによる気液分離膜を設けるなどが挙げられる。本実施形態では、上部を開放して気体を外部へと放出させるものとする。図３及び図４において酸素分離部７は、上部にフィルター２７が設けられている。フィルター２７は、例えば、テフロン製フィルター、ポリエステル系ウレタンフォームフィルターなどとされる。それにより、大気からの埃等の侵入を防止することができる。
【００５５】
重水導入路８は、酸素分離部７と重水タンク１６とを接続しており、酸素分離部７で酸素ガスと分離された重水を重水タンク１６内へと導くことができる。
【００５６】
次に、本実施形態に係る核種変換方法について説明する。
本実施形態に係る核種変換方法は、重水供給工程、高圧化工程、低圧化工程、重水リサイクル工程、を備えている。
【００５７】
まず、核種変換を施される物質２８が添加された構造体１を、重水素高圧部２及び重水素低圧部３内をそれぞれ液密及び気密状態に封止するよう核種変換装置に設置する。この際、構造体１のＰｄ基板９は重水素低圧部３側に向ける。核種変換を施される物質２８としては、セシウム（Ｃｓ）、炭素（Ｃ）、ストロンチウム（Ｓｒ）、ナトリウム（Ｎａ）などが挙げられる。核種変換を施される物質２８は、例えば真空蒸着やスパッタ法などの製膜処理によって構造体１の一方の表面（Ｐｄ基板９と反対側の面）に添加されている。
【００５８】
（重水供給工程）
次に、重水供給装置１４から重水素高圧部２内に重水１９を供給する。重水１９としては、０．１Ｍｏｌ／ｌの重水ベースの硝酸セシウム溶液であることが好ましい。重水は、常に正極１３が浸漬される量を維持する。
また、重水１９は、高圧化工程中でも適宜重水素高圧部２へと供給され得る。重水の供給量や供給タイミングは、重水の液高（正極１３が常に液中に保持される液量）に応じて適宜設定される。
【００５９】
（低圧化工程）
次に、低圧化手段５により重水素低圧部３内を重水素圧力の低い状態とする。詳細には、真空ポンプを用いて、重水素低圧部３内を真空状態とし、これを維持する。重水素低圧部３内の圧力は＜０．１Ｐａ以下とされると良い。
【００６０】
（高圧化工程）
次に、電圧発生装置１２にて正極１３に電力を印加し、正極１３と負極（構造体）１との間に電圧差を発生させる。電圧差は、少なくとも２Ｖ以上とされる。これにより、構造体１の表面（Ｐｄ基板９と反対側の面）上で重水（Ｄ２Ｏ）が電気分解されて、重水素（Ｄ２）を発生させることができる。電圧差が２Ｖより小さいと、電気分解反応が十分に進まない。
【００６１】
低圧化工程及び高圧化工程によって、構造体１の一方の面側（重水素高圧部２側）と他方の面側（重水素低圧部３側）との間に重水素の濃度勾配が生じる。これにより、重水素高圧部２側の重水素が、重水素低圧部３側へと移動し、構造体１を透過する。核種変換を施される物質２８が添加された構造体１に重水素を透過させると、核種変換反応が生じ、核種変換を施される物質２８が別の物質へと核種変換される。例えば、１３３Ｃｓ→１４１Ｐｒ、１２Ｃ→２４Ｍｇ→２８Ｓｉ→３２Ｓ、８８Ｓｒ→９６Ｍｏ、２３Ｎａ→２７Ｎａ→２７Ｍｇ→２７Ａｌなどの核種変換反応が生じる。
【００６２】
（重水リサイクル工程）
重水リサイクル工程は、水製工程、酸素分離工程、及び重水導入工程を含む。
重水素高圧部２内で電気分解が進むと、それに伴い重水素ガス及び酸素ガスが発生する。また、重水１９を供給する際には重水素高圧部２内に不活性ガス（例えばＮ２ガス）が流入する。本実施形態では、重水素高圧部２内の圧力が１気圧（１×１０５Ｐａ）以上となると逆止弁２３が開放され、重水素高圧部２内からガスが排出される。排出されたガスを、ガス排出経路１５を介して水製部６へと導き、重水を製造する。次に、水製部６で製造した重水、及び、重水の合成に寄与しなかった酸素ガスなどを、フィルター２６を介して酸素分離部７へと導き、重水から酸素ガスを分離する。重水は重水導入路８を介して重水供給タンク１６内へと導かれ、高圧化手段４でリサイクルする。また、分離した酸素ガスは、フィルター２７を介して系外へと排出する。
【００６３】
（実施例１）
バルクのＰｄ基板（２５ｍｍ×２５ｍｍ×０．１ｍｍ）上に、ＣａＯ層（厚さ：２ｎｍ）とＰｄ層（厚さ：２０ｎｍ）とが交互に１０層積層された構成の構造体を用い核種変換反応を実施した。
構造体のＰｄ基板と反対側の表面はＰｄ層とした。Ｐｄ基板の反対側の表面に、イオン注入法にて１３３Ｃｓを添加した。ＸＰＳ（Ｘ線光電子分光法）にて、構造体における１３３Ｃｓの初期表面濃度が１５×１０１６／ｃｍ２であることを確認した後、構造体を第１実施形態に従って核種変換装置に設置した。なお、構造体の表面に１４１Ｐｒは検出限界以下で１０１２／ｃｍ２以下である。
【００６４】
重水素低圧部は、真空ポンプを用いて１０−３Ｐａの真空状態とし、これを維持した。
【００６５】
電解溶液としては、０．１Ｍｏｌ／ｌの重水ベースの硝酸セシウム溶液用いた。電圧発生装置によって正極と負極との間に、３Ｖから５Ｖの電圧差を与え、重水を電気分解した。電気分解を１２０時間（５日間）持続した後、電気分解を停止した。
【００６６】
核種変換装置から構造体を取り出し、表面の重水分を蒸発させた後、構造体の表面組成をＸＰＳとＩＣＰ−ＭＳにて分析した。
【００６７】
（比較例１）
核種変換装置は、高圧化手段として、重水素高圧部に重水素ボンベが接続されている。重水素ボンベから１．０１３２５×１０５Ｐａの圧力で重水素高圧部２２に重水素（Ｄ２）ガスを導入した。核種変換試験を行い、試験後にＸＰＳ及びＩＣＰ−ＭＳにて構造体の表面組成を分析した。
【００６８】
ＸＰＳ分析の結果、実施例１の構造体の表面組成は、１３３Ｃｓ濃度が９×１０１５／ｃｍ２、１４１Ｐｒが７×１０１４／ｃｍ２程度であった。上記結果から、実施例１では構造体の表面における１３３Ｃｓ濃度が試験後に低下した一方で、試験前には存在しなかった１４１Ｐｒが存在することが確認された。
【００６９】
ＩＣＰ−ＭＳ分析の結果、核種変換後の１４１Ｐｒ生成量は、比較例１が０．１ｎｇ／ｃｍ２から１０ｎｇ／ｃｍ２、実施例が０．１６μｇ／ｃｍ２であった。
上記結果から、第１実施形態に係る核種変換装置及び核種変換方法によれば、核種変換後の物質の生成量が従来法と比較して１桁近く向上することが確認された。これは、構造体上で電気分解により重水素を発生させた方が、重水素高圧部における重水素の圧力を容易に高めることができるため、構造体へ充填される重水素密度を増加して、核種変換量も増加したためである。
【００７０】
電気分解を用いた場合、重水素高圧部の重水素圧力を１００気圧〜１０００気圧程度とすることができる。重水素ガスを用いてこれと同じ環境を作ろうとすると、１０００気圧程度の圧力で重水素ガスを導入しなくてはならない。１０気圧を超える圧力で導入する場合には、実験の安全基準が変わるため、実験条件がより厳しくなる上、実験装置も大きくなる。一方、電気分解は常圧で行うことができるため、実験装置を大きくせずに重水素圧力を高めることができ、且つ、実験操作が容易である。
【００７１】
〔第２実施形態〕
図５は、本実施形態に係る核種変換装置２００の概略図である。核種変換装置２００は、重水素回収部３０、検出部３１、酸素添加部３３、及び制御部３４を備える。特に説明がない構成については、第１実施形態の核種変換装置と同様とされる。
【００７２】
重水素回収部３０は、重水素低圧部３に接続されており、構造体１を透過して重水素低圧部３から排出される重水素を回収し、水製部６へと送ることができる。本実施形態において、重水素回収部３０は、圧縮機３５及びバッファ部３６から構成されている。圧縮機３５は、真空状態の重水素低圧部３から排出された重水素を圧縮し、バッファ部３６へと導く（押し込む）ことができる。バッファ部３６は、重水素を大気圧に戻すための重水素を溜めるタンクなどとされる。バッファ部３６は、逆止弁３７を介して水製部６に接続されており、バッファ部３６内の圧力が一定値を超え得るとバッファ部３６に溜められた気体は水製部６へと送られ得る。
バッファ部３６には、真空ポンプなどの排気装置３８が設けられている。
【００７３】
検出部３１は、バッファ部３６と水製部６とを繋ぐ経路に設けられており、水製部６へ送る重水素の濃度を検出することができる。検出部３１は、パラジウム（ＰＤ）利用水素検出器（抵抗式，ＦＥＴ方式他）などとされる。
【００７４】
また、バッファ部３６と水製部６とを繋ぐ経路の、検出部よりも下流側には、酸素添加部が接続されている。酸素添加部は、流量計３２を介して接続される酸素ボンベ３３などとされる。
【００７５】
制御部３４は、検出部３１及び酸素添加部３３に接続されている。制御部３４は、検出部３１にて検出した重水素濃度に基づき、水製部６に送られる重水素が重水となるのに必要な酸素量となるよう、酸素添加部３３からの酸素添加量を制御することができる。
【００７６】
本実施形態に係る核種変換方法は、重水素回収工程、検出工程、及び酸素添加工程を備えている。それ以外の工程は、第１実施形態と同様とする。
【００７７】
（重水素回収工程）
核種変換反応の初期段階において、重水素低圧部３，バッファ部３６は、真空ポンプ５，３８により真空引きした状態とする。次に、バルブ４０を閉め、真空ポンプ３８を停止し、核種変換反応を開始する。構造体１を透過した重水素を重水素低圧部３から真空ポンプ５を用いて排出し、圧縮機３５で圧縮し、バッファ部３６へと押し込む。バッファ部３６内の圧力が１気圧を超えると、逆止弁３７が開放され、バッファ部３６内に溜められた気体（重水素）が水製部６へと送られる。
【００７８】
（検出工程及び酸素添加工程）
検出部３１により、バッファ部３６から水製部６へと送られる気体の重水素濃度を検出する。検出した重水素濃度の情報は、制御部３４に送信される。制御部３４では、送られてきた重水素濃度の情報に基づき、これを重水へと変換するのに必要な酸素量を決定し、該酸素量を添加するよう酸素添加部３３の添加量を制御する。酸素添加部３３は、適量の酸素を水製部６へと送られる気体へと添加する。
【００７９】
本実施形態では、重水素高圧部２に供給した略すべての重水素をリサイクルできるとともに、反応に寄与しないＮ２の混入を防ぐことができる。
【００８０】
〔第３実施形態〕
図６は、本実施形態に係る核種変換装置３００の概略図である。核種変換装置３００は、低圧化手段が異なる以外は、第１実施形態の核種変換装置と同様の構成とされる。
【００８１】
低圧化手段は、不活性ガス供給装置４１及び排気経路４２を備えている。本実施形態において、不活性ガス供給装置４１は、不活性ガスを供給可能なガスボンベなどとされる。不活性ガス供給装置は、高圧化手段４の重水供給装置１４に供えられたガス源及び除湿部１８と共用としても良い。排気経路４２はバルブ４３を介して一端が重水素低圧部３に接続されている。
【００８２】
本実施形態は、低圧化工程で、重水素低圧部３に不活性ガスを供給して不活性環境を形成する以外は、第１実施形態と同様の工程で核種変換反応を行う。重水素低圧部３内は１気圧とする。重水素低部３内を不活性ガスで満たすことにより、重水素低圧部３内の重水素圧力を実質的に０にして、重水素低圧部３内を重水素高圧部よりも重水素圧力が低い状態に維持する。
【００８３】
高圧化手段４により電気分解を行うと、重水素が構造体１を透過して重水素低圧部３に導入される。
【００８４】
本実施形態によれば、真空ポンプを用いずに、重水素低圧部３内を重水素が実質的に存在しない領域とすることができる。重水素高圧部２に比べて相対的に重水素圧力が低い環境を形成することができるため、核種変換反応に十分な重水素勾配を構造体１に形成することができる。本実施形態では、該重水素勾配をドライビングフォースとして、構造体ないに重水素を透過させ、核種変換反応を行わせることができる。また、不活性ガス供給装置４１は、真空ポンプなどを用いる必要がないため、装置の簡便化や初期コストの低減が可能となる。
【００８５】
〔第４実施形態〕
図７は、本実施形態に係る核種変換装置４００の概略図である。核種変換装置４００は、重水素回収部５０、検出部５１、酸素添加部５２、及び制御部５３を備えることを特徴とする。特に説明がない構成については、第３実施形態の核種変換装置と同様とされる。
【００８６】
重水素回収部５０は、重水素低圧部３に接続されており、構造体１を透過して重水素低圧部３から排出される重水素を回収し、水製部６へと送ることができる。本実施形態において、重水素回収部５０は、重水素分離装置とされる。重水素分離装置は、重水素低圧部３から排出された気体から重水素ガスを分離し、該重水素ガスを水製部６へと送ることができる。重水素と窒素の混合ガスから重水素を分離する手段としては、Ｐｄ薄膜（膜厚：５０μｍ程度）などを用いた分離装置が挙げられる。
【００８７】
検出部５１は、重水素分離装置と水製部６とを繋ぐ経路途中に設けられており、水製部６へ送る重水素の濃度を検出することができる。検出部５１は、パラジウム（ＰＤ）利用水素検出器（抵抗式、ＦＥＴ方式他）などとされる。
また、重水素分離装置と水製部６とを繋ぐ経路の、検出部５１よりも下流側には、酸素添加部５２が接続されている。酸素添加部５２は、流量計５４を介して接続される酸素ボンベなどとされる。
【００８８】
制御部５３は、検出部５１及び酸素添加部５２に接続されている。制御部５３は、検出部５１にて検出した重水素濃度に基づき、水製部６に送られる重水素が重水となるのに必要な酸素量となるよう、酸素添加部５２からの酸素添加量を制御することができる。
【００８９】
本実施形態に係る核種変換方法は、重水素回収工程、検出工程、及び酸素添加工程を備えている。それ以外の工程は、第３実施形態と同様とする。
【００９０】
（重水素回収工程）
重水素低圧部３から排出される気体は、構造体１を透過した重水素、及び、低圧化手段により添加された窒素ガスを含む。重水素回収工程では、重水素低圧部３から排出された気体を重水素分離装置へと導き、窒素ガスを分離した重水素ガスを水製部６へと送る。ここで重水素ガスと分離された窒素ガスは系外へと排出する。
【００９１】
（検出工程、及び酸素添加工程）
検出部５１により、重水素分離装置から水製部６へと送られる気体の重水素濃度を検出する。検出した重水素濃度は、制御部５３に送信される。制御部で５３は、送られてきた重水素濃度に基づき、これを重水へと変換するのに必要な酸素量を決定し、該酸素量を添加するよう酸素添加部５２からの酸素添加量を制御する。酸素添加部５２は、適量の酸素を水製部６へと送られる重水素に添加する。
【００９２】
本実施形態では、重水素高圧部に供給した略すべての重水素をリサイクルできる。
【符号の説明】
【００９３】
１  構造体（負極）
２  重水素高圧部
３  重水素低圧部
４  高圧化手段
５  低圧化手段
６  水製部
７  酸素分離部
８  重水導入路
９  Ｐｄ基板
１０  ＣａＯ層
１１  Ｐｄ層
１２  電圧発生装置
１３  正極
１４  重水供給装置（電解溶液供給装置）
１５  ガス排出経路
１６  重水タンク（重水供給部）
１７  重水供給経路
１８  除湿部
１９  重水
２０，２２，２４，４０，４３  バルブ
２１  ガス供給経路
２３，３７  逆止弁
２５  酸化触媒
２６  （水製部の）フィルター
２７  （酸素分離部の）フィルター
２８  核種変換を施される物質
３０，５０  重水素回収部
３１，５１  検出部
３２，５４  流量計
３３，５２  酸素添加部（酸素ボンベ）
３４，５３  制御部
３５  圧縮部
３６  バッファ部
３８  排気装置
４１  不活性ガス供給装置
４２  排気経路
【図１】
0006355882.tif 000002
【図２】
0006355882.tif 000003
【図３】
0006355882.tif 000004
【図４】
0006355882.tif 000005
【図５】
0006355882.tif 000006
【図６】
0006355882.tif 000007
【図７】
0006355882.tif 000008
【図８】
0006355882.tif 000009